(57)【要約】【課題】吐出安定性が良好で、高速で印画しても高画質な画像が得られ、かつ乾燥性に優れ裏移りしにくいインクセットを提供する。【解決手段】（ａ）顔料、（ｂ）水溶性溶剤、（ｃ）界面活性剤、及び（ｄ）水を含むインク組成物と、（ｅ）該インク組成物の凝集を促進させる凝集促進剤及び（ｆ）水溶性溶剤を含む無色インク組成物、とを含むインクセットであって、該インク組成物の（ｂ）水溶性溶剤はＳｐ値２７．５以下の水溶性溶剤を６５質量％以上含み、該インク組成物に対する（ｂ）水溶性溶剤の含有量が３０質量％を超え５５質量％以下であり、かつ該無色インク組成物の（f）水溶性溶剤はＳｐ値２７．５以上の水溶性溶剤を９０質量％以上含むことを特徴とするインクセット。【選択図】なし【特許請求の範囲】
【請求項１】
（ａ）顔料、（ｂ）水溶性溶剤、（ｃ）界面活性剤、及び（ｄ）水を含むインク組成物と、（ｅ）該インク組成物の凝集を促進させる凝集促進剤及び（ｆ）水溶性溶剤を含む無色インク組成物、とを含むインクセットであって、該インク組成物の（ｂ）水溶性溶剤はＳｐ値２７．５以下の水溶性溶剤を６５質量％以上含み、該インク組成物に対する（ｂ）水溶性溶剤の含有量が３０質量％を超え５５質量％以下であり、かつ該無色インク組成物の（f）水溶性溶剤はＳｐ値２７．５以上の水溶性溶剤を９０質量％以上含むことを特徴とするインクセット。
【請求項２】
前記（ｂ）水溶性溶剤中のＳｐ値が２７．５以下の水溶性溶剤として、下記一般式（１）又は（２）で表される化合物を含むことを特徴とする請求項１記載のインクセット。
【化１】
2012187868.tif 000010
（式中、ｌ、ｍ、及びｎは、それぞれ独立に１以上の整数を表し、且つｌ＋ｍ＋ｎ＝３〜１５である。ＡＯはエチレンオキシ基又はプロピレンオキシ基を表し、複数のＡＯは互いに同じであっても異なってもよい。）
【化２】
2012187868.tif 000011
（式中、ｐ、ｑ、ｒ及びｓは、それぞれ独立に１以上の整数を表し、且つｐ＋ｑ＋ｒ＋ｓ＝４〜４０である。ＡＯはエチレンオキシ基又はプロピレンオキシ基を表し、複数のＡＯは互いに同じであっても異なってもよい。）
【請求項３】
前記一般式（１）又は（２）中、ＡＯがプロピレンオキシ基であることを特徴とする請求項１又は２に記載のインクセット。
【請求項４】
前記無色インク組成物の（ｆ）水溶性溶剤が、グリセリン、プロピレングリコール、ジグリセリン、グリセリンモノアセテート、ジエチレングリコール、トリエチレングリコール、及び１，２−アルキレンジオールからなる群より選ばれる少なくとも１種を含むことを特徴とする請求項１〜３のいずれか１項に記載のインクセット。
【請求項５】
前記（ａ）顔料が、水溶性分散剤を用いて顔料分散した後に架橋剤により架橋する工程を経て得られた、ポリマーで被覆された顔料であることを特徴とする請求項１〜４のいずれか１項に記載のインクセット。
【請求項６】
前記無色インク組成物の（ｅ）凝集促進剤が、酸であることを特徴とする請求項１〜５のいずれか１項に記載のインクセット。
【請求項７】
請求項１〜６のいずれか１項に記載のインクセットを用いた画像形成方法。
【請求項８】
前記無色インク組成物を、記録媒体に付与する第１の工程と、前記無色インク組成物が付与された記録媒体に前記インク組成物を付与する第２の工程とを含むことを特徴とする請求項７記載の画像形成方法。
【請求項９】
前記記録媒体が、非加工紙であることを特徴とする請求項８記載の画像形成方法。
【請求項１０】
前記インク組成物の前記記録媒体への付与が、インクジェットで打滴する方法であることを特徴とする請求項８又は９記載の画像形成方法。
【請求項１１】
前記無色インク組成物の前記記録媒体への付与が、インクジェットで打滴する方法であることを特徴とする請求項８〜１０のいずれか１項に記載の画像形成方法。
【請求項１２】
前記無色インク組成物の前記記録媒体への付与が、塗布装置を用いて塗布する方法であることを特徴とする請求項８〜１０のいずれか１項に記載の画像形成方法。
【発明の詳細な説明】
【技術分野】
【０００１】
本発明は、インクセットとこれを用いた画像形成方法に関する。
【背景技術】
【０００２】
インクジェット記録方式は、高速記録が可能で騒音が少ないこと、カラー化が容易であること、高解像度化が可能であること、普通紙記録が可能であること等の多くの利点を持っている。これらの利点から、当該記録方式を利用した機器や設備は目覚ましく普及している。近年では、インクジェット記録技術の進歩により、これまで主に写真やオフセット印刷により行われてきた高精細画像の形成にも、インクジェット記録方式が用いられるようになってきている。高品質が要求されるインクジェット記録方式には、紙等の支持体上に受像層等を設けた専用紙が用いられるのが一般的である。このような高品質のインクジェット記録方式に用いられるインクとして、種々のインクが報告されている（例えば、特許文献１参照）。
【０００３】
一方で、インクジェット記録方式は、少量多品種の印刷物を高速で廉価に印刷する用途にも採用されるようになっている。このような用途では、コストの点から、記録媒体として受像層を設けた写真用紙や、アート紙、コート紙などの塗工紙でなく、上質紙、普通紙、再生紙等の表面に塗工処理や機能性層を設けていない非加工紙を用いることが望まれる。そのため、非加工紙を記録媒体として用い、高精彩な画像を高速で形成する技術が求められている。
普通紙に適したインクジェットインクとして、ＳＰ値が１６．５以上２４．６未満の水溶性溶剤を全インクの３０質量％以上含有し、水を１０質量％以上５０質量％未満含有し、顔料がアルカリ可溶性の高分子分散剤によって分散されているインクジェットインクが報告されている（特許文献２参照）。
【先行技術文献】
【特許文献】
【０００４】
【特許文献１】特開２００９−１９０３７９号公報
【特許文献２】特開２００７−１４５８８７号公報
【発明の概要】
【発明が解決しようとする課題】
【０００５】
本発明は、吐出安定性が良好で、高速で印画しても高画質な画像が得られ、かつ乾燥性に優れ裏移りしにくいインクセットを提供することを課題とする。また、本発明は、当該インクセットを用いた画像形成方法を提供することを課題とする。
【課題を解決するための手段】
【０００６】
本発明者らは、上記課題に鑑みて鋭意検討を行った。その結果、色材を含有するインク組成物と無色インク組成物とを用いたインクセットにおいて、該インク組成物に低極性の水溶性溶媒を、該無色インク組成物に高極性溶媒をそれぞれ用いることで、高画質な画像が得られることを見出した。本発明は、これらの知見により完成された。
【０００７】
すなわち、上記の課題は下記の手段により解決された。
＜１＞  （ａ）顔料、（ｂ）水溶性溶剤、（ｃ）界面活性剤、及び（ｄ）水を含むインク組成物と、（ｅ）該インク組成物の凝集を促進させる凝集促進剤及び（ｆ）水溶性溶剤を含む無色インク組成物、とを含むインクセットであって、該インク組成物の（ｂ）水溶性溶剤はＳｐ値２７．５以下の水溶性溶剤を６５質量％以上含み、該インク組成物に対する（ｂ）水溶性溶剤の含有量が３０質量％を超え５５質量％以下であり、かつ該無色インク組成物の（f）水溶性溶剤はＳｐ値２７．５以上の水溶性溶剤を９０質量％以上含むことを特徴とするインクセット。
＜２＞  前記（ｂ）水溶性溶剤中のＳｐ値が２７．５以下の水溶性溶剤として、下記一般式（１）又は（２）で表される化合物を含むことを特徴とする前記＜１＞項記載のインクセット。
【０００８】
【化１】
2012187868.tif 000002
（式中、ｌ、ｍ、及びｎは、それぞれ独立に１以上の整数を表し、且つｌ＋ｍ＋ｎ＝３〜１５である。ＡＯはエチレンオキシ基又はプロピレンオキシ基を表し、複数のＡＯは互いに同じであっても異なってもよい。）
【０００９】
【化２】
2012187868.tif 000003
（式中、ｐ、ｑ、ｒ及びｓは、それぞれ独立に１以上の整数を表し、且つｐ＋ｑ＋ｒ＋ｓ＝４〜４０である。ＡＯはエチレンオキシ基又はプロピレンオキシ基を表し、複数のＡＯは互いに同じであっても異なってもよい。）
【００１０】
＜３＞  前記一般式（１）又は（２）中、ＡＯがプロピレンオキシ基であることを特徴とする前記＜１＞又は＜２＞項に記載のインクセット。
＜４＞  前記無色インク組成物の（ｆ）水溶性溶剤が、グリセリン、プロピレングリコール、ジグリセリン、グリセリンモノアセテート、ジエチレングリコール、トリエチレングリコール、及び１，２−アルキレンジオールからなる群より選ばれる少なくとも１種を含むことを特徴とする前記＜１＞〜＜３＞のいずれか１項に記載のインクセット。
＜５＞  前記（ａ）顔料が、水溶性分散剤を用いて顔料分散した後に架橋剤により架橋する工程を経て得られた、ポリマーで被覆された顔料であることを特徴とする前記＜１＞〜＜４＞のいずれか１項に記載のインクセット。
＜６＞  前記無色インク組成物の（ｅ）凝集促進剤が、酸であることを特徴とする前記＜１＞〜＜５＞のいずれか１項に記載のインクセット。
＜７＞  前記＜１＞〜＜６＞のいずれか１項に記載のインクセットを用いた画像形成方法。
＜８＞  前記無色インク組成物を、記録媒体に付与する第１の工程と、前記無色インク組成物が付与された記録媒体に前記インク組成物を付与する第２の工程とを含むことを特徴とする前記＜７＞項記載の画像形成方法。
＜９＞  前記記録媒体が、非加工紙であることを特徴とする前記＜８＞項記載の画像形成方法。
＜１０＞  前記インク組成物の前記記録媒体への付与が、インクジェットで打滴する方法であることを特徴とする前記＜８＞又は＜９＞項記載の画像形成方法。
＜１１＞  前記無色インク組成物の前記記録媒体への付与が、インクジェットで打滴する方法であることを特徴とする前記＜８＞〜＜１０＞のいずれか１項に記載の画像形成方法。
＜１２＞  前記無色インク組成物の前記記録媒体への付与が、塗布装置を用いて塗布する方法であることを特徴とする前記＜８＞〜＜１０＞のいずれか１項に記載の画像形成方法。
【発明の効果】
【００１１】
本発明のインクセットは、吐出安定性が良好で、高速で普通紙に印画しても高画質な画像が得られ、かつ乾燥性に優れ裏移りしにくい。また、本発明のインクセットを用いた画像形成方法は、高速で普通紙に印画することができ、文字の識別性等が良好な高画質の画像を形成することができるという優れた効果を奏する。
【発明を実施するための形態】
【００１２】
[インクセット]
本発明のインクセットは下記１）のインク組成物、及び２）の無色インク組成物を含むものである。
１）  （ａ）顔料、（ｂ）水溶性溶剤、（ｃ）界面活性剤、及び（ｄ）水を含むインク組成物であって、（ｂ）水溶性溶剤にはＳｐ値２７．５以下の水溶性溶剤が６５質量％以上含まれ、かつ当該インク組成物中における（ｂ）水溶性溶剤の含有量が３０質量％を超え５５質量％以下であるインク組成物
２）  （ｅ）該インク組成物の凝集を促進させる凝集促進剤及び（ｆ）水溶性溶剤を含む無色インク組成物であって、（f）水溶性溶剤にはＳｐ値２７．５以上の水溶性溶剤が９０質量％以上含まれる無色インク組成物
本発明のインク組成物及びインクセットは、インクジェット記録方式に好適に用いられるものである。
【００１３】
[インク組成物]
（ａ）顔料
本発明のインク組成物は、色材として顔料を含む。用いられる顔料としては、特に制限はなく、インク等に通常用いられる顔料から目的に応じて適宜選択することができる。また、有機顔料、無機顔料のいずれであってもよい。
【００１４】
有機顔料としては、例えば、アゾ顔料、多環式顔料、染料キレート、ニトロ顔料、ニトロソ顔料、アニリンブラック、などが挙げられる。これらの中でも、アゾ顔料、多環式顔料などがより好ましい。アゾ顔料としては、例えば、アゾレーキ、不溶性アゾ顔料、縮合アゾ顔料、キレートアゾ顔料、などが挙げられる。多環式顔料としては、例えば、フタロシアニン顔料、ぺリレン顔料、ぺリノン顔料、アントラキノン顔料、キナクリドン顔料、ジオキサジン顔料、インジゴ顔料、チオインジゴ顔料、イソインドリノン顔料、キノフラロン顔料、などが挙げられる。染料キレートとしては、例えば、塩基性染料型キレート、酸性染料型キレート、などが挙げられる。
【００１５】
無機顔料としては、例えば、酸化チタン、酸化鉄、炭酸カルシウム、硫酸バリウム、水酸化アルミニウム、バリウムイエロー、カドミウムレッド、クロムイエロー、カーボンブラック、などが挙げられる。これらの中でも、カーボンブラックが特に好ましい。なお、カーボンブラックは、例えば、コンタクト法、ファーネス法、サーマル法などの公知の方法によって製造されたものを用いることができる。
以上の顔料を、以下に色別に例示する。
【００１６】
黒色系のものとしては、カーボンブラックの具体例は、Ｒａｖｅｎ７０００，Ｒａｖｅｎ５７５０，Ｒａｖｅｎ５２５０，Ｒａｖｅｎ５０００  ＵＬＴＲＡＩＩ，Ｒａｖｅｎ  ３５００，Ｒａｖｅｎ２０００，Ｒａｖｅｎ１５００，Ｒａｖｅｎ１２５０，Ｒａｖｅｎ１２００，Ｒａｖｅｎ１１９０  ＵＬＴＲＡＩＩ，Ｒａｖｅｎ１１７０，Ｒａｖｅｎ１２５５，Ｒａｖｅｎ１０８０，Ｒａｖｅｎ１０６０，Ｒａｖｅｎ７００（以上コロンビアン・カーボン社製）、Ｒｅｇａｌ４００Ｒ，Ｒｅｇａｌ３３０Ｒ，Ｒｅｇａｌ６６０Ｒ，Ｍｏｇｕｌ  Ｌ，Ｂｌａｃｋ  Ｐｅａｒｌｓ  Ｌ，Ｍｏｎａｒｃｈ  ７００，Ｍｏｎａｒｃｈ  ８００，Ｍｏｎａｒｃｈ  ８８０，Ｍｏｎａｒｃｈ  ９００，Ｍｏｎａｒｃｈ  １０００，Ｍｏｎａｒｃｈ  １１００，Ｍｏｎａｒｃｈ  １３００，Ｍｏｎａｒｃｈ  １４００（以上キャボット社製）、Ｃｏｌｏｒ  Ｂｌａｃｋ  ＦＷ１，  Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  １８，Ｃｏｌｏｒ  Ｂｌａｃｋ  ＦＷ２００，Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ３５，Ｐｒｉｎｔｅｘ  Ｕ，Ｐｒｉｎｔｅｘ  Ｖ，Ｐｒｉｎｔｅｘ１４０Ｕ，Ｐｒｉｎｔｅｘ１４０Ｖ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，Ｓｐｅｃｉａｌ  Ｂｌａｃｋ４（以上デグッサ社製）、Ｎｏ．２５，Ｎｏ．３３，Ｎｏ．４０，Ｎｏ．４５，Ｎｏ．４７，Ｎｏ．５２，Ｎｏ．９００，Ｎｏ．２２００Ｂ，Ｎｏ．２３００，ＭＣＦ−８８，ＭＡ６００，ＭＡ７，ＭＡ８，ＭＡ１００（以上三菱化学社製）等を挙げることができるが、これらに限定されるものではない。
【００１７】
イエローインクの顔料としては、Ｃ．Ｉ．ピグメントイエロー１、２、３、４、５、６、７、１０、１１、１２、１３、１４、１４Ｃ、１６、１７、２４、３４、３５、３７、４２、５３、５５、６５、７３、７４、７５、８１、８３、９３、９５、９７、９８、１００、１０１、１０４、１０８、１０９、１１０、１１４、１１７、１２０、１２８、１２９、１３８、１５０、１５１、１５３、１５４、１５５、１８０等が挙げられる。
【００１８】
マゼンタインクの顔料としては、Ｃ．Ｉ．ピグメントレッド１、２、３、４、５、６、７、８、９、１０、１１、１２、１３、１４、１５、１６、１７、１８、１９、２１、２２、２３、３０、３１、３２、３７、３８、３９、４０、４８（Ｃａ）、４８（Ｍｎ）、４８：２、４８：３、４８：４、４９、４９：１、５０、５１、５２、５２：２、５３：１、５３、５５、５７（Ｃａ）、５７：１、６０、６０：１、６３：１、６３：２、６４、６４：１、８１、８３、８７、８８、８９、９０、１０１（べんがら）、１０４、１０５、１０６、１０８（カドミウムレッド）、１１２、１１４、１２２（キナクリドンマゼンタ）、１２３、１４６、１４９、１６３、１６６、１６８、１７０、１７２、１７７、１７８、１７９、１８４、１８５、１９０、１９３、２０２、２０９、２１９、２６９等、およびＣ．Ｉ．ピグメントバイオレット１９が挙げられ、特に、Ｃ．Ｉ．ピグメントレッド１２２が好ましい。
【００１９】
シアンインクの顔料としては、Ｃ．Ｉ．ピグメントブルー１、２、３、１５、１５：１、１５：２、１５：３、１５：３４、１６、１７：１、２２、２５、５６、６０、Ｃ．Ｉ．バットブルー４、６０、６３等が挙げられ、特に、Ｃ．Ｉ．ピグメントブルー１５：３が好ましい。
上記の顔料は、単独種で使用してもよく、また上記した各群内もしくは各群間より複数種選択してこれらを組み合わせて使用してもよい。
【００２０】
本発明のインク組成物中の顔料の含有量は特に限定されないが、インク組成物の全質量に対し、０．５質量％以上１０質量％以下であることが好ましく、１質量％以上８質量％以下であることがより好ましく、２質量％以上７質量％以下であることが特に好ましい。
【００２１】
本発明のインク組成物に用いる顔料は、上記顔料を水溶性分散剤を用いて分散した後、架橋剤により架橋する工程を経て得られたポリマーで被覆された顔料（以下、「水分散性顔料」ともいう。）であることが好ましい。
【００２２】
当該顔料を製造するために用いる水溶性分散剤としては、ポリビニル類、ポリウレタン類、ポリエステル類等が挙げられるが、その中でもポリビニル類が好ましい。
水溶性分散剤は、分子内に、架橋剤により架橋する基を有することが好ましい。該架橋する基としては、特に限定されず、カルボキシル基又はその塩、イソシアナート基、エポキシ基等が挙げられる。なかでも、分散性向上の観点からカルボキシル基又はその塩を有していることが好ましい。このような水溶性分散剤は、共重合成分としてカルボキシル基含有モノマーを用いて合成することができる。カルボキシル基含有モノマーとしては、メタクリル酸、b−カルボキシエチルアクリレート、フマル酸、イタコン酸、マレイン酸、クロトン酸等が挙げられる。なかでも、架橋性および分散安定性の観点から、メタクリル酸やb−カルボキシエチルアクリレートが好ましい。
【００２３】
上記の他、親水性モノマーや疎水性モノマーを共重合成分として使用することもできる。親水性モノマーはイオン性でもノニオン性でもよい。疎水性モノマーとしては、特に限定されないが、炭素数１〜２０のアルキルメタクリレート又は炭素数１〜２０のアルキルアクリレートが好ましい。
水溶性分散剤として用いるポリマーは、ランダムポリマーでもよく、ブロック又はグラフトポリマーでもよい。当該ポリマーの合成方法は特に限定されないが、ビニルモノマー等のランダム重合が分散安定性の点で好ましい。
【００２４】
水溶性分散剤の酸価（水溶性分散剤１ｇを中和するに必要なＫＯＨのｍｇ数）は、顔料の分散性、分散安定性の観点から、１３５〜２５０ｍｇＫＯＨ／ｇであることが好ましく、１３５〜２００ｍｇＫＯＨ／ｇであることがより好ましく、１３５〜１８０ｍｇＫＯＨ／ｇであることが特に好ましい。
【００２５】
水溶性分散剤の使用量は、顔料１００質量部に対して、１０質量部〜２００質量部が好ましく、２０質量部〜１５０質量部がより好ましく、３０質量部〜１００質量部が特に好ましい。
【００２６】
架橋剤は、上記水溶性分散剤と反応する部位を２つ以上有している化合物であれば、特に限定されない。中でも、カルボキシル基との反応性に優れている点から、２つ以上のエポキシ基を有している化合物（２官能以上のエポキシ化合物）が好ましい。
具体例としては、エチレングリコールジグリシジルエーテル、ポリエチレングリコールジグリシジルエーテル、１，６−へキサンジオールグリシジルエーテル、ジエチレングリコールジグリシジルエーテル、ポリエチレングリコールジグリシジルエーテル、ジプロピレングリコールジグリシジルエーテル、ポリプロピレングリコールジグリシジルエーテル等が挙げられ、ポリエチレングリコールジグリシジルエーテル、ジエチレングリコールジグリシジルエーテルが好ましい。
【００２７】
架橋剤の架橋部位と分散剤の被架橋部位のモル比は、架橋反応の速度、架橋後の分散液の安定性の観点から、１：１．１〜１：１０が好ましく、１：１．１〜１：５がより好ましく、１：１．１〜１：３が特に好ましい。
【００２８】
水分散性顔料の調製方法は、前記顔料が水溶性分散剤を用いて顔料分散し、その後、架橋剤により架橋する工程を経てポリマーで被覆された顔料を得られるものであれば特に限定されない。以下に、水分散性顔料の調整方法の一例を示すが、本発明はこれに限定されるものではない。
【００２９】
（i）顔料分散工程
顔料及び水溶性分散剤を、水又は極性溶媒の水溶液中に分散して顔料分散液を得る。
（ii）架橋反応工程
（i）で得られた分散液に架橋剤を加えて加熱し、架橋反応させてポリマーで被覆された顔料（水分散性顔料）を得る。
（iii）顔料精製工程
（ii）で得られた架橋後の水分散性顔料を精製する。
【００３０】
上記（i）〜（iii）の工程には、その他の通常の工程を必要に応じて適宜付加してもよい。上記工程で用いる極性溶媒等は通常のものを用いることができる。
【００３１】
（ｂ）水溶性溶剤
本発明のインク組成物は、水溶性溶剤を含有する。本発明で用いる水溶性溶剤は、水溶性有機溶剤が好ましい。本発明のインク組成物は、特にインクジェット記録方式に好適に用いられるものであるが、当該記録方式ではノズルのインク噴射口においてインクが乾燥することが目詰まりの原因となる。そのため、水より蒸気圧の低い水溶性有機溶剤を用いることで乾燥防止し、湿潤性を高めることが好ましい。
【００３２】
インク組成物に用いる（ｂ）水溶性溶剤は、Ｓｐ値２７．５以下の水溶性溶剤を６５質量％以上含有するものである。本発明においてＳｐ値は、溶媒の溶解度パラメーター（Solubility  Parameter）を意味し、分子凝集エネルギーの平方根で表される値である。Ｓｐ値については、Ｒ．Ｆ．Ｆｅｄｏｒｓ，Ｐｏｌｙｍｅｒ  Ｅｎｇｉｎｅｅｒｉｎｇ  Ｓｃｉｅｎｃｅ，１４，ｐ１４７（１９６７）に記載の方法で計算することができる。本発明で用いる水溶性溶剤のＳｐ値は、当該方法により算出された値を採用する。
インク組成物に用いるＳＰ値が２７．５以下の水溶性溶剤としては、ＳＰ値が２７．５以下であれば特に制限はないが、インクの保存安定性、吐出安定性、画質の鼎立の観点から、そのＳＰ値が２０〜２７であることが好ましく、２３〜２６．７であることがより好ましい。
【００３３】
以下にＳＰ値が２７．５以下の水溶性溶剤の具体例をＳＰ値とともに示すが、本発明はこれらに限定されるものではない。なお、本明細書において、ＥＯ、ＰＯはそれぞれエチレンオキシ基、プロピレンオキシ基を表す。
ヘプタオキシプロピレングリコール（ＳＰ値２１．２、例えば、ＰＰ−４００（商品名、三洋化成工業（株）製））、
ペンタオキシエチレンペンタオキシプロピレンブチルエーテル（ＳＰ値１８．８、例えば、５０ＨＢ−１００（商品名、三洋化成工業（株）製））、
デカオキシエチレンヘプタオキシプロピレンブチルエーテル（ＳＰ値１８．８、例えば、５０ＨＢ−２６０（商品名、三洋化成工業（株）製））、
ドデカオキシエチレンドデカオキシプロピレンブチルエーテル（ＳＰ値１８．８、例えば、５０ＨＢ−４００（商品名、三洋化成工業（株）製））、
デカオキシエチレントリアコンタオキシプロピレンブチルエーテル（ＳＰ値１８．７、例えば、ＰＥ−６２（商品名、三洋化成工業（株）製））、
ペンタコサオキシエチレントリアコンタオキシプロピレンブチルエーテル（ＳＰ値１８．８、例えば、ＰＥ−６４（商品名、三洋化成工業（株）製））。
【００３４】
ジエチレングリコールモノエチルエーテル（ＤＥＧｍＥＥ）（ＳＰ値２２．４）
ジエチレングリコールモノブチルエーテル（ＤＥＧｍＢＥ）（ＳＰ値２１．５）
ジエチレングリコールジエチルエーテル（ＤＥＧｄＥＥ）（ＳＰ値１６．８）
トリエチレングリコールモノブチルエーテル（ＴＥＧｍＢＥ）（ＳＰ値２１．１）
プロピレングリコールモノエチルエーテール（ＰＧｍＥＥ）（ＳＰ値２２．３）
ジプロピレングリコール（ＤＰＧ）（ＳＰ値２７．１）
ジプロピレングリコールモノメチルエーテル（ＤＰＧｍＭＥ）（ＳＰ値２１．３）
トリプロピレングリコール（ＴＰＧ）（ＳＰ値２４．７、例えばＰＰ−２００（商品名、三洋化成工業（株）製））
１，２−ヘキサンジオール（ＳＰ値２７．４）
トリオキシプロピレングリセリルエーテル（ＳＰ値２６．４、例えばＧＰ−２５０（商品名、三洋化成工業（株）製））
ジオキシエチレンジオキシプロピレンブチルエーテル（ＳＰ値２０．１、例えば５０ＨＢ−５５（商品名、三洋化成工業（株）製））
【００３５】
ＰＯＰ（４）ジグリセリルエーテル（ＳＰ値２６．１、例えばＳＣ−Ｐ４００（商品名、阪本薬品工業（株）製））、
ＰＯＰ（９）ジグリセリルエーテル（ＳＰ値２２．７、例えばＳＣ−Ｐ７５０（商品名、阪本薬品工業（株）製））、
ＰＯＥ（２０）ジグリセリルエーテル（ＳＰ値２２．４、例えばＳＣ−Ｅ１０００（商品名、阪本薬品工業（株）製））、
ＰＯＥ（４０）ジグリセリルエーテル（ＳＰ値２１．０、例えばＳＣ−Ｅ２０００（商品名、阪本薬品工業（株）製））。
【００３６】
ｎＣ４Ｈ９Ｏ（ＡＯ）４−Ｈ（ＡＯ＝ＥＯ又はＰＯで、比率はＥＯ：ＰＯ＝１：１）（ＳＰ値：２０．１）
ｎＣ４Ｈ９Ｏ（ＡＯ）１０−Ｈ（ＡＯ＝ＥＯ又はＰＯで、比率はＥＯ：ＰＯ＝１：１）（ＳＰ値：１８．８）
ＨＯ（Ａ’Ｏ）４０−Ｈ（Ａ’Ｏ＝ＥＯ又はＰＯで、比率はＥＯ：ＰＯ＝１：３）（ＳＰ値：１８．７）
ＨＯ（Ａ’’Ｏ）５５−Ｈ（Ａ’’Ｏ＝ＥＯ又はＰＯで、比率はＥＯ：ＰＯ＝５：６）（ＳＰ値：１８．８）
ＨＯ（ＰＯ）３−Ｈ（ＳＰ値：２４．７）
ＨＯ（ＰＯ）７−Ｈ（ＳＰ値：２１．２）
【００３７】
本発明におけるＳＰ値が２７．５以下の水溶性溶剤は、下記一般式（１）又は（２）で表される化合物であることもまた好ましく、下記一般式（１）で表される化合物であることがより好ましい。
【００３８】
【化１】
2012187868.tif 000004
【００３９】
一般式（１）中、ｌ、ｍ、及びｎは、それぞれ独立に１以上の整数を表し、且つｌ＋ｍ＋ｎ＝３〜１５である。ｌ＋ｍ＋ｎは、３〜１２であることが好ましく、３〜１０であることがより好ましい。
ＡＯはエチレンオキシ基又はプロピレンオキシ基を表し、複数のＡＯは互いに同じであっても異なってもよい。ＡＯは、プロピレンオキシ基であることが好ましい。
【００４０】
【化２】
2012187868.tif 000005
【００４１】
一般式（２）中、ｐ、ｑ、ｒ及びｓは、それぞれ独立に１以上の整数を表し、且つｐ＋ｑ＋ｒ＋ｓ＝４〜４０である。ｐ＋ｑ＋ｒ＋ｓは、４〜２０であることが好ましく、４〜１６であることがより好ましく、４〜１２であることが特に好ましい。
ＡＯは前記一般式（１）と同義であり、好ましくはプロピレンオキシ基である。
【００４２】
以下に、前記一般式（１）で表される化合物の具体例を、ＳＰ値（カッコ内）と共に示す。但し、本発明はこれらに限定されるものではない。
【００４３】
【化３】
2012187868.tif 000006
【００４４】
前記一般式（２）の具体例として下記が挙げられるが、本発明はこれらに限定されるものではない。
ＳＣ−Ｅ４５０（商品名、阪本薬品工業（株）製、ＳＰ値２６．６、ｐ＋ｑ＋ｒ＋ｓ＝６、ＡＯ＝エチレンオキシ基）、
ＳＣ−Ｐ４００（商品名、阪本薬品工業（株）製、ＳＰ値２６．１、ｐ＋ｑ＋ｒ＋ｓ＝４、ＡＯ＝プロピレンオキシ基）、
ＳＣ−Ｅ７５０（商品名、阪本薬品工業（株）製、ＳＰ値２３．７、ｐ＋ｑ＋ｒ＋ｓ＝１３、ＡＯ＝エチレンオキシ基）、
ＳＣ−Ｐ７５０（商品名、阪本薬品工業（株）製、ＳＰ値２２．７、ｐ＋ｑ＋ｒ＋ｓ＝９、ＡＯ＝プロピレンオキシ基）、
ＳＣ−Ｅ１０００（商品名、阪本薬品工業（株）製、ＳＰ値２２．４、ｐ＋ｑ＋ｒ＋ｓ＝２０、ＡＯ＝エチレンオキシ基）、
ＳＣ−Ｅ１５００（商品名、阪本薬品工業（株）製、ＳＰ値２１．５、ｐ＋ｑ＋ｒ＋ｓ＝３０、ＡＯ＝エチレンオキシ基）、
ＳＣ−Ｐ１０００（商品名、阪本薬品工業（株）製、ＳＰ値２１．３、ｐ＋ｑ＋ｒ＋ｓ＝１４、ＡＯ＝プロピレンオキシ基）、
ＳＣ−Ｅ２０００（商品名、阪本薬品工業（株）製、ＳＰ値２１．３、ｐ＋ｑ＋ｒ＋ｓ＝４０、ＡＯ＝エチレンオキシ基）、
ユニルーブＤＧＰ−７００（商品名、日油社製、ＳＰ値２２．７、ｐ＋ｑ＋ｒ＋ｓ＝９、ＡＯ＝プロピレンオキシ基）、
ユニルーブＤＧＰ−９５０（商品名、日油社製、ＳＰ値２１．３、ｐ＋ｑ＋ｒ＋ｓ＝１４、ＡＯ＝プロピレンオキシ基）
【００４５】
本発明のインク組成物には、このようなＳＰ値２７．５以下の水溶性溶剤を単独で使用しても、２種類以上を混合して使用してもよい。
（ｂ）水溶性溶剤中に、前記一般式（１）で表される化合物が、１０質量％以上含まれることが好ましく、３０質量％以上含まれることがより好ましく、５０質量％以上含まれることがさらに好ましい。また、前記一般式（２）で表される化合物が１０質量％以上含まれることが好ましく、３０質量％以上含まれることがより好ましく、５０質量％以上含まれることがさらに好ましい。
【００４６】
本発明の（ｂ）水溶性溶剤には、ＳＰ値が２７．５以下の溶剤比率が６５質量％未満にならない範囲で、他の水溶性溶剤を併用しても良い。併用する水溶性溶剤としては、水溶性有機溶剤が好ましい。
併用できる水溶性有機溶媒の具体例としては、グリセリン、１，２，６−ヘキサントリオール、トリメチロールプロパン、エチレングリコール、プロピレングリコール、ジエチレングリコール、トリエチレングリコール、テトラエチレングリコール、ペンタエチレングリコール、ジプロピレングリコール、２−ブテン−１，４−ジオール、２−エチル−１，３−ヘキサンジオール、２−メチル−２，４−ペンタンジオール、１，２−オクタンジオール、１，２−ヘキサンジオール、１，２−ペンタンジオール、４−メチル−１，２−ペンタンジオール等のアルカンジオール（多価アルコール類）；グルコース、マンノース、フルクトース、リボース、キシロース、アラビノース、ガラクトース、アルドン酸、グルシトール、マルトース、セロビオース、ラクトース、スクロース、トレハロース、マルトトリオース等の糖類；糖アルコール類；ヒアルロン酸類；尿素類等のいわゆる固体湿潤剤；エタノール、メタノール、ブタノール、プロパノール、イソプロパノールなどの炭素数１〜４のアルキルアルコール類；
【００４７】
エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテルなどのグリコールエーテル類；２−ピロリドン、Ｎ−メチル−２−ピロリドン、１，３−ジメチル−２−イミダゾリジノン、ホルムアミド、アセトアミド、ジメチルスルホキシド、ソルビット、ソルビタン、アセチン、ジアセチン、トリアセチン、スルホラン等が挙げられる。これらは、１種単独で使用してもよいし、２種以上を併用してもよい。
【００４８】
乾燥防止や湿潤性の観点からは，多価アルコール類が好ましく、例えば、グリセリン、エチレングリコール、ジエチレングリコール、トリエチレングリコール、プロピレングリコール、ジプロピレングリコール、トリプロピレングリコール、１，３−ブタンジオール、２，３−ブタンジオール、１，４−ブタンジオール、３−メチル−１，３−ブタンジオール、１，５−ペンタンジオール、テトラエチレングリコール、１，６−ヘキサンジオール、２−メチル−２，４−ペンタンジオール、ポリエチレングリコール、１，２，４−ブタントリオール、１，２，６−ヘキサントリオール、などが挙げられる。これらは、１種単独で使用してもよいし、２種以上を併用してもよい。
【００４９】
浸透性を高める観点からは、ポリオール化合物が好ましく、脂肪族ジオールとしては、例えば、２−エチル−２−メチル−１，３−プロパンジオール、３，３−ジメチル−１，２−ブタンジオール、２，２−ジエチル−１，３−プロパンジオール、２−メチル−２−プロピル−１，３−プロパンジオール、２，４−ジメチル−２，４−ペンタンジオール、２，５−ジメチル−２，５−ヘキサンジオール、５−ヘキセン−１，２−ジオール、２−エチル−１，３−ヘキサンジオールなどが挙げられる。これらの中でも、２−エチル−１，３−ヘキサンジオール、２，２，４−トリメチル−１，３−ペンタンジオールが好ましい例として挙げることができる。
【００５０】
インク組成物中の（ｂ）水溶性溶剤の含有量は、インク組成物の全質量に対し、３０質量％を超え５５質量％以下であり、３３質量％以上５０質量％以下が好ましく、３５質量％以上４０質量％以下がより好ましい。
【００５１】
（ｃ）界面活性剤
本発明のインク組成物は、界面活性剤を含有する。界面活性剤としては、分子内に親水部と疎水部を合わせ持つ構造を有する化合物等を使用することができ、アニオン性界面活性剤、カチオン性界面活性剤、両性界面活性剤、ノニオン性界面活性剤のいずれも使用することができる。
【００５２】
アニオン系界面活性剤の具体例としては、例えば、ドデシルベンゼンスルホン酸ナトリウム、ラウリル硫酸ナトリウム、アルキルジフェニルエーテルジスルホン酸ナトリウム、アルキルナフタレンスルホン酸ナトリウム、ジアルキルスルホコハク酸ナトリウム、ステアリン酸ナトリウム、オレイン酸カリウム、ナトリウムジオクチルスルホサクシネート、ポリオキシエチレンアルキルエーテル硫酸ナトリウム、ポリオキシエチレンアルキルエーテ硫酸ナトリウム、ポリオキシエチレンアルキルフェニルエーテル硫酸ナトリウム、ジアルキルスルホコハク酸ナトリウム、ステアリン酸ナトリウム、オレイン酸ナトリウム、ｔ−オクチルフェノキシエトキシポリエトキシエチル硫酸ナトリウム塩等が挙げられ、これらの１種、又は２種以上を選択することができる。
ノニオン性界面活性剤の具体例としては、例えば、アセチレンジオールのエチレンオキサイド付加物等のアセチレンジオール誘導体、ポリオキシエチレンラウリルエーテル、ポリオキシエチレンオクチルフェニルエーテル、ポリオキシエチレンオレイルフェニルエーテル、ポリオキシエチレンノニルフェニルエーテル、オキシエチレン・オキシプロピレンブロックコポリマー、ｔ−オクチルフェノキシエチルポリエトキシエタノール、ノニルフェノキシエチルポリエトキシエタノール等が挙げられ、これらの１種、又は２種以上を選択することができる。
カチオン性界面活性剤としては、テトラアルキルアンモニウム塩、アルキルアミン塩、ベンザルコニウム塩、アルキルピリジウム塩、イミダゾリウム塩等が挙げられ、具体的には、例えば、ジヒドロキシエチルステアリルアミン、２−ヘプタデセニル−ヒドロキシエチルイミダゾリン、ラウリルジメチルベンジルアンモニウムクロライド、セチルピリジニウムクロライド、ステアラミドメチルピリジウムクロライド等が挙げられる。
これらの界面活性剤のなかでも、安定性の点から、ノニオン性界面活性剤が好ましく、アセチレンジオール誘導体がより好ましい。
【００５３】
インク組成物中の界面活性剤の量は特に限定されないが、インク組成物の全質量に対し、０．１質量％以上であることが好ましく、より好ましくは０．５〜１０質量％、更に好ましくは１〜３質量％である。
【００５４】
（ｄ）水
本発明のインク組成物は、水を含有する水性インクであるが、水の量には特に制限はない。中でも、水の好ましい含有量は、インク組成物の全質量に対し、３０質量％以上７０質量％未満であり、より好ましくは５０質量％以上６５質量％以下、さらに好ましくは５３質量％以上６０質量％以下である。
【００５５】
（他の成分）
本発明のインク組成物には、上記（ａ）〜（ｄ）の成分以外に各種の添加剤を含有してもよい。他の添加剤としては、例えば、紫外線吸収剤、褪色防止剤、防黴剤、ｐＨ調整剤、防錆剤、酸化防止剤、乳化安定剤、防腐剤、消泡剤、粘度調整剤、分散安定剤、キレート剤等が挙げられ、これらは通常用いられるものから適宜選択して使用できる。
【００５６】
紫外線吸収剤としては、例えば、ベンゾフェノン系紫外線吸収剤、ベンゾトリアゾール系紫外線吸収剤、サリチレート系紫外線吸収剤、シアノアクリレート系紫外線吸収剤、ニッケル錯塩系紫外線吸収剤、などが挙げられる。
【００５７】
褪色防止剤としては、各種の有機系及び金属錯体系の褪色防止剤を使用することができる。有機の褪色防止剤としてはハイドロキノン類、アルコキシフェノール類、ジアルコキシフェノール類、フェノール類、アニリン類、アミン類、インダン類、クロマン類、アルコキシアニリン類、ヘテロ環類などがあり、金属錯体としてはニッケル錯体、亜鉛錯体などがある。
【００５８】
防黴剤としてはデヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オン、ソルビン酸ナトリウム、ペンタクロロフェノールナトリウムなどが挙げられる。これらはインク中に０．０２〜１．００質量％使用するのが好ましい。
【００５９】
ｐＨ調整剤としては、調合される記録用インクに悪影響を及ぼさずにｐＨを所望の値に調整できるものであれば特に制限はなく、目的に応じて適宜選択することができるが、例えば、アルコールアミン類（例えば、ジエタノールアミン、トリエタノールアミン、２−アミノ−２−エチル−１，３プロパンジオールなど）、アルカリ金属水酸化物（例えば、水酸化リチウム、水酸化ナトリウム、水酸化カリウムなど）、アンモニウム水酸化物（例えば、水酸化アンモニウム、第４級アンモニウム水酸化物）、ホスホニウム水酸化物、アルカリ金属炭酸塩などが挙げられる。
【００６０】
防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライトなどが挙げられる。
【００６１】
酸化防止剤としては、例えば、フェノール系酸化防止剤（ヒンダードフェノール系酸化防止剤を含む）、アミン系酸化防止剤、硫黄系酸化防止剤、りん系酸化防止剤などが挙げられる。
【００６２】
キレート剤としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウムなどが挙げられる。
【００６３】
本発明のインク組成物は、（ａ）顔料以外に樹脂微粒子の水分散物を含まないことが好ましい。このような樹脂微粒子の水分散物としては、例えば、ポリマーラテックスの樹脂微粒子が挙げられ、具体的にはアクリル系樹脂、酢酸ビニル系樹脂、スチレン−ブタジエン系樹脂、塩化ビニル系樹脂、アクリル−スチレン系樹脂、ブタジエン系樹脂、スチレン系樹脂、架橋アクリル樹脂、架橋スチレン系樹脂、ベンゾグアナミン樹脂、フェノール樹脂、シリコーン樹脂、エポキシ樹脂、ウレタン系樹脂、パラフィン系樹脂、フッ素系樹脂等のラテックスを挙げることができる。本発明のインク組成物を、顔料以外に樹脂微粒子の水分散物を含まない組成とすることで、高速駆動周波数を有するインクジェットヘッドでの連続吐出安定性の向上、印刷休止後の復帰性の向上が得られるため、好ましい。
【００６４】
［無色インク組成物］
（ｅ）凝集促進剤
本発明の無色インク組成物は、前記インク組成物の凝集を促進させる凝集促進剤を含有する。
凝集促進剤には、酸を用いることが好ましい。酸としては、無機酸、有機酸のいずれであってもよい。具体的には、ポリアクリル酸、酢酸、グリコール酸、マロン酸、リンゴ酸、マレイン酸、アスコルビン酸、コハク酸、グルタル酸、フマル酸、クエン酸、酒石酸、乳酸、スルホン酸、オルトリン酸、ピロリドンカルボン酸、ピロンカルボン酸、ピロールカルボン酸、フランカルボン酸、ピリジンカルボン酸、クマリン酸、チオフェンカルボン酸、ニコチン酸、若しくはこれらの化合物の誘導体、又はこれらの塩等が挙げられ、これらの中から１種又は２種以上を選んで用いることが好ましい。
【００６５】
無色インク組成物中の凝集促進剤の含有量は特に限定されないが、凝集速度制御等の観点から、無色インク組成物の全質量に対し、０．１質量％〜３０質量％が好ましく、０．５質量％〜２０質量％がより好ましく、１質量％〜１５質量％がさらに好ましい。
【００６６】
（ｆ）水溶性溶剤
本発明の無色インク組成物は、水溶性溶剤を含有する。水溶性溶剤としては、水溶性有機溶剤が好ましい。
無色インク組成物の水溶性溶剤は、Ｓｐ値２７．５以上の水溶性溶剤を９０質量％以上含有するものである。なお、Ｓｐ値の定義及び算出方法については、上述した（ｂ）水溶性溶剤のＳｐ値と同義である。
無色インク組成物に用いるＳＰ値が２７．５以上の水溶性溶剤としては、ＳＰ値が２７．５以上であれば特に制限はないが、より凝集を高速且つ効果的に促進する観点から、そのＳＰ値が２８〜５０であることが好ましく、３０〜４０であることがより好ましい。
【００６７】
以下に、ＳＰ値が２７．５以上である水溶性溶剤の具体例を、ＳＰ値（カッコ内）と共に示すが、本発明はこれらに限定されるものではない。
【００６８】
グリセリン（３３．５）
プロピレングリコール（３２．６）
ジエチレングリコール（３０．６）
エチレングリコール（３６．５）
トリメチロールプロパン（３３．５）
トリエタノールアミン（３２．４）
ジグリセリン（３１．５）
グリセリンモノアセテート（３０．５）
１，３−ブタンジオール（３０．３）
１，２−ブタンジオール（３０．３）
２，３−ブタンジオール（２９．９）
尿素（２９．４）
１，５−ペンタンジオール（２９．０）
１，３−ペンタンジオール（２８．６）
１，２−ペンタンジオール（２８．６）
５−メチル−１，３−ブタンジオール（２８．４）
ネオペンチルグリコール（２８．４）
１，４−ブタンジオール（２７．９）
トリエチレングリコール（２７．８）
１，６−ヘキサンジオール（２７．７）
【００６９】
ＳＰ値が２７．５以上である水溶性溶剤のなかでも、グリセリン、プロピレングリコール、ジグリセリン、グリセリンモノアセテート、ジエチレングリコール、トリエチレングリコール、及び１，２−アルキレンジオールを用いることが好ましい。
【００７０】
ＳＰ値が２７．５以上の水溶性溶剤は、単独で使用しても、２種類以上を混合して用いてもよい。
また、無色インク組成物の水溶性溶剤には、ＳＰ値が２７．５以上の溶剤比率が９０質量％未満にならない範囲で、他の水溶性溶剤を併用しても良い。併用する水溶性溶剤としては、水溶性有機溶剤が好ましい。併用できる水溶性有機溶媒としては、上記インク組成物の（ｂ）水溶性溶剤として挙げたものから適宜選択して使用することができる。
【００７１】
無色インク組成物中の水溶性溶剤の含有量は特に限定されないが、無色インク組成物の全質量に対し、１０質量％以上７０質量％以下であることが好ましく、２０質量％以上６０質量％以下がより好ましく、３０質量％以上５０質量％以下が特に好ましい。
【００７２】
（界面活性剤）
本発明の無色インク組成物は、界面活性剤を含有することが好ましい。界面活性剤としては、上記インク組成物の（ｃ）界面活性剤と同様のものが挙げられる。なかでも、凝集促進効果を高めるためには、ノニオン性界面活性剤が好ましく、アセチレンジオール誘導体がより好ましい。
無色インク組成物中の界面活性剤の含有量は特に限定されないが、無色インク組成物の全質量に対し、０．０２質量％以上であることが好ましく、より好ましくは０．１〜３質量％、更に好ましくは０．３〜２質量％である。
【００７３】
（他の成分）
本発明において、無色インク組成物の好ましい一例として、インク組成物のｐＨを変化させることにより凝集物を生じさせる無色インク組成物を挙げることができる。このとき、無色インク組成物のｐＨは１〜６であることが好ましく、ｐＨは２〜５であることがより好ましく、ｐＨは３〜５であることがさらに好ましい。前記ｐＨは上記酸又はその他の公知のｐＨ調製剤を用いて調整することができる。
【００７４】
また、無色インク組成物には、多価金属塩あるいはポリアリルアミンを添加することが好ましい。
多価金属塩として周期表の２Ａ属のアルカリ土類金属（例えば、マグネシウムとカルシウム）；周期表の３Ｂ属の遷移金属（例えば、ランタン）；周期表の３Ａ属からのカチオン（例えば、アルミニウム）；ランタニド類（例えば、ネオジム）；及びポリアリルアミン、ポリアリルアミン誘導体、を挙げることができる。好ましい例として、カルシウムとマグネシウムを挙げることができる。
カルシウム又はマグネシウムの対塩として好ましく採用されるアニオンは、カルボン酸塩（蟻酸、酢酸、安息香酸塩など）、硝酸塩、塩化物、及びチオシアン酸塩を挙げることができる。
無色インク組成物への添加量として、当該塩は約１〜約１０質量％、好ましくは約１．５〜約７質量％、より好ましくは約２〜約６質量％の範囲の量で処理液中に存在させることができる。
【００７５】
［インク組成物、無色インク組成物の物性］
前記インク組成物、無色インク組成物の表面張力は、インクジェット記録方法に用いられた場合、吐出安定性の点で、それぞれ独立に、２０ｍＮ／ｍ以上４０ｍＮ／ｍ以下であることが好ましい。より好ましくは、２８ｍＮ以上３８ｍＮ／ｍ以下であり、更に好ましくは、３２ｍＮ／ｍ以上３７ｍＮ／ｍ以下である。
前記インク組成物及び無色インク組成物の２５℃での粘度は、それぞれ独立に、３ｍＰａ・ｓ以上１０ｍＰａ・ｓ以下であることが好ましく、より好ましくは４ｍＰａ・ｓ以上８．５ｍＰａ・ｓ未満、更に好ましくは５ｍＰａ・ｓ以上７．５ｍＰａ・ｓ未満である。
本発明のインクセットは、一般の筆記具用、記録計用、ペンプロッター用等に適用しうるものであり、特にインクジェット記録方式に好適に用いることができる。
【００７６】
［画像形成方法］
本発明の画像形成方法は、上述した本発明のインクセットを用いて画像形成を行うものである。本発明の画像形成方法は、下記の第一工程と第二工程とを含むことが好ましい。第一工程で無色インク組成物を記録媒体に付与することにより、第二工程で付与されたインク組成物の顔料定着性が良好となる。
第一工程：前記無色インク組成物を記録媒体に付与する工程
第二工程：前記無色インク組成物が付与された記録媒体に前記インク組成物を付与する工程
上記工程に加え、乾燥工程、定着工程等の通常行われる工程を目的に応じて適宜追加してもよい。
【００７７】
（第一工程）
無色インク組成物を記録媒体に付与する方法としては、インクジェットで打滴する方法、塗布装置を用いて塗布する方法が好ましい。
インクジェットで打滴する方法は、無色インク組成物にエネルギーを供与してインクジェットヘッドからインクを吐出させ、吐出されたインク液滴を記録媒体に付与することにより行われる。具体的には特開２００３−３０６６２３号公報の段落番号００９３〜０１０５に記載の方法が参照でき、本発明においても好ましく用いられる。
本発明の画像形成方法に用いるインクジェット記録方式に制限はなく、公知の方式、例えば静電誘引力を利用してインクを吐出させる電荷制御方式、ピエゾ素子の振動圧力を利用するドロップオンデマンド方式（圧力パルス方式）、電気信号を音響ビームに変えインクに照射して、放射圧を利用してインクを吐出させる音響インクジェット方式、及びインクを加熱して気泡を形成し、生じた圧力を利用するサーマルインクジェット方式等に用いられる。なかでも、インク吐出量の制御が比較的容易であり、幅広いインクに対応可能であるという観点からピエゾ方式であることが好ましい。
塗布装置を用いて塗布する方法は、通常用いられる塗布装置を用いて、記録媒体に無色インク組成物を付与することにより行われる。塗布装置としては、例えば、スリットコーター、スピナー、ホワイラー、ローラーコーター、カーテンコーター、ナイフコーター、ワイヤーバーコーター、エクストルーダー等の塗布機が挙げられる。
【００７８】
（第二工程）
インク組成物の記録媒体への付与は、インクジェット方式で行われることが好ましい。インクジェットで打滴する方法は、前記第一工程と同様に行うことができる。
【００７９】
［記録媒体］
本発明のインク組成物及び無色インク組成物に対して用いる記録媒体（受像材料）としては、印字するインクの吸収性、保持性を有していれば特に制限はなく、コート紙、アート紙、写真用紙等の原紙の表面にコーティング等の処理を施した塗工紙、原紙や塗工紙上にインク受容層等の機能性層を設けた各種専用紙、普通紙、上質紙、再生紙等の非加工紙、など通常の印刷用紙を用いることができる。なかでも、記録媒体として普通紙、上質紙、再生紙等の非加工紙を用いることが好ましい。本発明のインク組成物及び無色インク組成物は、特にこのような非加工紙に対して高速印画を行った時に、高画質の画像が得られ、しかも乾燥が速く裏移りしない等の優れた効果を奏する。
【実施例】
【００８０】
以下、本発明を実施例により具体的に説明するが、本発明はこれらの実施例に限定されるものではない。なお、特に断りのない限り、「部」及び「％」は質量基準である。
【００８１】
参考例
１．水溶性樹脂分散剤Ｐ−１の調製
イソプロパノール（１８７．５部）を窒素雰囲気下、８０℃に加温した中に、メタクリル酸メチル（４７８部）／メタクリル酸（１７２部）／２―エチルヘキシルメタクリレート（３５０部）／２，２’―アゾビス（２−メチルブチロニトリル）（２２．０５部）の混合液を２時間かけて滴下した。滴下終了後、更に４時間、８０℃に保った後に、２５℃まで冷却した。溶媒を減圧除去することにより、平均重量分子量約３００００、酸価  １５４ｍｇＫＯＨ／ｇの水溶性樹脂分散剤Ｐ−１（水溶性分散剤）を得た。
【００８２】
２．顔料分散物の調製
水溶性樹脂分散剤Ｐ−１（１５０部）を水に溶かして水酸化カリウム水溶液を用いて中和後のｐＨが１０．１、水溶性樹脂分散剤濃度が３０．６％となるように水溶性樹脂分散剤水溶液を調製した。この水溶性樹脂分散剤水溶液１４７部に対し、ピグメントブルー１５：３（大日精化株式会社製  フタロシアニンブル−Ａ２２０）  ９０部と水３６２部をを混合し、ビーズミル（０．１ｍｍΦジルコニアビーズ）を使い、３時間分散し、顔料濃度１５％の未架橋の顔料含有樹脂粒子の分散物Ｎ１を得た。
未架橋の顔料含有樹脂粒子の分散物Ｎ１  ７０部に対し、ポリエチレングリコールジグリシジルエーテル０．３５部を添加し、５０℃にて６時間半反応後、２５℃に冷却することにより、顔料濃度１５質量％の架橋された顔料含有樹脂粒子の分散物（水性顔料分散物）を得た。
【００８３】
実施例
１．インク組成物の調製
（１）インク組成物Ａ１
上記で得られた水性顔料分散物及び下記の成分を、下記の組成にて混合し、その後５μｍメンブランフィルタでろ過してインク組成物Ａ１を調製した。
（インク組成物Ａ１の組成）
水性顔料分散物                                                      ２０質量％
プロピレングリコール（Ｓｐ値：３２．６）                            １０質量％
SC-E450（阪本薬品工業社製：エチレングリコール変性ジグリセリン）
（Ｓｐ値：２６．６）                                              ２２質量％
オルフィンＥ１０１０（日信化学工業（株）製）                        １．５質量％
イオン交換水                                                        残部
【００８４】
（２）インク組成物Ａ２〜Ａ６
組成を表１に示すものに変更した以外はインク組成物Ａ１と同様にして、インク組成物Ａ２〜Ａ６を調製した。
【００８５】
（３）比較用インク組成物Ｂ１〜Ｂ４
組成を表１に示すものに変更した以外はインク組成物Ａ１と同様にして、インク組成物Ｂ１〜Ｂ４を調製した。なお、インク組成物Ｂ４に用いたラテックスＰＬ−０１は、下記のものを使用した。
【００８６】
［ラテックスＰＬ−０１の調製］
水１２０ｇに、ラテムルＡＳＫ（（株）花王製、カルボン酸塩系乳化剤）１９．８ｇ、５ｍｏｌ／Ｌ水酸化ナトリウム水溶液６ｇ、２，２’−アゾビス（２−アミジノプロパン）二塩酸塩０．３ｇを加え、均一に溶解させた。７０℃に加熱し、窒素気流下に、スチレン２５．９ｇとブチルアクリレート２６．３ｇとアクリル酸５．１ｇのモノマー混合物を２時間かけて添加した。その後、７０℃で２時間、８０℃で３時間加熱した。室温に冷却後、ｐＨが９前後になるように、攪拌しながら１ｍｏｌ／Ｌ水酸化ナトリウム水溶液を加えて、ラテックスＰＬ−０１を得た。得られたラテックスの体積平均粒子径は１１５ｎｍであった。またラテックス分散液の固形分は３３質量％であった。
【００８７】
【表１】
2012187868.tif 000007
【００８８】
２．無色インク組成物の調製
（１）無色インク組成物Ｃ１
下記の組成にて混合し、無色のインク組成物Ｃ１を調製した。
（無色インク組成物Ｃ１の組成）
クエン酸                                                            ４質量％
グリセリン（Ｓｐ値：３３．５）                                    １２質量％
プロピレングリコール（Ｓｐ値：３２．６）                            ６質量％
オルフィンＥ１０１０（日信化学工業（株）製）                        １質量％
イオン交換水                                                        残部
【００８９】
（２）無色インク組成物Ｃ２〜Ｃ６
組成を表２に示すものに変更した以外は無色インク組成物Ｃ１と同様にして、無色インク組成物Ｃ２〜Ｃ６を調製した。
【００９０】
（３）比較用無色インク組成物Ｄ１〜Ｄ２
組成を表２に示すものに変更した以外は無色インク組成物Ｃ１と同様にして、無色インク組成物Ｄ１〜Ｄ２を調製した。
【００９１】
【表２】
2012187868.tif 000008
【００９２】
表１及び表２に示した、溶剤及び界面活性剤の詳細は、以下のとおりである。
SC-E450：前記一般式（２）においてｐ＋ｑ＋ｒ＋ｓ＝6、ＡＯ＝エチレンオキシ基であるエチレングリコール変性ジグリセリン、阪本薬品工業社製
サンニックスGP-250：前記一般式（１）においてｌ＋ｍ＋ｎ＝３、ＡＯ＝プロピレンオキシ基であるプロピレングリコール変性グリセリン  三洋化成製
SC-P400：前記一般式（２）においてｐ＋ｑ＋ｒ＋ｓ＝４、ＡＯ＝プロピレンオキシ基であるプロピレングリコール変性ジグリセリン  阪本薬品工業社製
SC-P750：前記一般式（２）においてｐ＋ｑ＋ｒ＋ｓ＝９、ＡＯ＝プロピレンオキシ基であるプロピレングリコール変性ジグリセリン  阪本薬品工業社製
オルフィンE1010：日信化学社製
サーフィノール485：エアープロダクツ社製
【００９３】
３．画像形成
上記で調製したインク組成物及び無色インク組成物を含むインクセット（表３、実施例１〜１１）及び比較用インクセット（表３、比較例１〜８）を用いて、下記の記録媒体上に、下記画像形成方法１、２に示す手順で画像を形成した。
【００９４】
[画像形成方法１]
記録媒体上に、無色インク組成物を５ｇ／ｍ２となるように、ダイマティクス・マテリアル・プリンター  ＤＭＰ−３０００を用いて打滴した。１分後、無色インク組成物を打滴した記録媒体上に、富士フイルムＤｉｍａｔｉｘ社製のダイマティクス・マテリアル・プリンター  ＤＭＰ−３０００（カートリッジは１０ｐｌ吐出用（ＤＭＣ−１１６１０）を外部から液供給出来るように改造、また、波形を調整し、駆動周波数を４０ｋＨｚで打滴を行えるように改造）を用いてインク組成物を打滴し、画像を形成した。
[画像形成方法２]
記録媒体上に、無色インク組成物を５ｇ／ｍ２となるようにバー塗布をした。１分後、無色インク組成物を塗布した記録媒体上に、富士フイルムＤｉｍａｔｉｘ社製のダイマティクス・マテリアル・プリンター  ＤＭＰ−３０００（カートリッジは１０ｐｌ吐出用（ＤＭＣ−１１６１０）を外部から液供給出来るように改造、また、波形を調整し、駆動周波数を４０ｋＨｚで打滴を行えるように改造）を用いてインク組成物を打滴し、画像を形成した。
【００９５】
[使用した記録媒体]
ＮｐｉフォームＮＥＸＴ−ＩＪ＜７０＞：日本製紙社製（坪量：８１．４−１，＋５  ｇ／ｍ２）
Ｎｐｉフォーム＜５５＞：日本製紙社製（坪量：６４−１，＋５  ｇ／ｍ２）
【００９６】
４．評価
上記で形成された各画像を下記の項目により評価した。結果を表３に示す。
【００９７】
＜連続吐出安定性＞
上記条件で画像を形成し、下記の基準により吐出安定性を評価した。画像ムラは目視観察した。
（１）６０分連続吐出試験後の吐出率が８０％以上。
（２）１分間吐出後、３０分休止した後の吐出率が８０％以上。
（３）画像ムラが見られない。
−評価基準−
○：３項目とも合格の場合
△：２項目が合格の場合
×：２項目以上が不合格
なお、通常使用には△以上の評価が求められる。
【００９８】
＜光学濃度（ＯＤ）測定＞
上記条件で１２００ｄｐｉの解像度で描画率１００％のベタ画像を形成し、紙面表からＸ−Ｒｉｔｅ５３０を用いて画像の光学濃度を測定した。
−評価基準−
○：ＯＤが０．８以上の場合
△：ＯＤが０．６以上０．８未満の場合
×：ＯＤが０．６未満の場合
【００９９】
＜裏面光学濃度測定＞
上記条件で１２００ｄｐｉの解像度で描画率１００％のベタ画像を形成し、紙面表からＸ−Ｒｉｔｅ５３０を用いて画像の光学濃度を測定した。
−評価基準−
○：ＯＤが０．１５以下の場合
△：ＯＤが０．１５より大きく０．２以下の場合
×：ＯＤが０．２より大きいの場合
【０１００】
＜文字可読性＞
４ｐｔの「轟」の文字を印字し、１０人の試験官の目視によって○（可読）と×（判読不可）評価を行い、下記の様に分類した。
−評価基準−
○：１０人中９〜１０人が○の評価の場合
△：１０人中６〜８人が○の評価の場合
×：１０人中５人以上が×の評価の場合
【０１０１】
＜印刷物乾燥性＞
上記条件で１２００ｄｐｉの解像度で描画率１００％のベタ画像を形成し、１分間放置後、同じ評価用記録媒体を張り合わせ、５００ｇ／ｃｍ２の荷重を１分間かけ、張り合わせた記録媒体への色材の転写を目視観察した。
−評価基準−
○：色材の転写が全く観察されない場合
△：色材の転写が僅かに（全面積に対して５％未満）観察された場合
×：色材の転写が観察された場合（全面積に対して５％以上）
【０１０２】
【表３】
2012187868.tif 000009
【０１０３】
表３から明らかなように、インク組成物Ａ１〜Ａ６及び無色インク組成物Ｃ１〜Ｃ６を含む実施例１〜１１のインクセットを用いた画像形成では、連続吐出安定性、光学濃度、裏面光学濃度、文字可読性、及び印刷物乾燥性の全ての評価項目において優れた結果が得られた。
これに対し、比較用インク組成物Ｂ１〜Ｂ４及び無色インク組成物Ｄ１〜Ｄ２を含む比較例１〜８のインクセットを用いた画像形成では、複数の評価項目において劣る結果となり、吐出安定性と高画質とを両立することができなかった。